(57)【要約】【課題】  光損失被測定光ファイバの伝搬損失を作業性よく安全に、かつ、正確に測定可能とする。【解決手段】  第１と第２の光送受信装置１，２を光ファイバ３を介して接続し、互いに光の送受信を行う。音声と表示の少なくとも一方の情報を情報入力部４０から入力し、その電気信号を光信号に変換して光源５から光ファイバ３を通して接続相手側に送信し、その光信号を光受信装置１５で受信して電気信号に変換し、電気信号が持つ情報を情報出力部４１から出力することにより、第１と第２の光送受信装置１，２間で双方向通信を行う。この通信によって光送受信装置１，２間に接続した光ファイバ３の確認を行いながら、第１の光送受信装置１の光源５ａから光ファイバの損失測定用の光を出力し、この光を第２の光送受信装置２が受信して受信光強度に基づき光ファイバ３の損失を検出し、報知する。【選択図】        図１
2006250797.tif 000002
【特許請求の範囲】
【請求項１】
光ファイバを介して接続されて互いに光の送受信を行う第１と第２の光送受信装置を有し、これら第１と第２の光送受信装置はそれぞれ音声と表示の少なくとも一方の情報を入力する情報入力部と、該情報入力部から入力される情報の電気信号を光信号に変換するＥ／Ｏ変換部と、該Ｅ／Ｏ変換部によって変換された光信号を出力して接続相手側に送信する光送信部と、接続相手側の光送信部から出力された光信号を受信する光受信部と、該光受信部が受信した光の信号を音声と表示の少なくとも一方の情報を持つ電気信号に変換するＯ／Ｅ変換部と、該Ｏ／Ｅ変換部により変換した情報を出力する情報出力部とを有しており、さらに、前記第１の光送受信装置には該第１の光送受信装置の前記光送信部から光ファイバの損失測定用の光を出力させる損失測定用光出力操作部が設けられ、前記第２の光送受信装置には前記第１の光送受信装置から前記光ファイバの損失測定用の光が出力されたときに、この光を受けて光強度を検出する受光強度検出部と、該受光強度検出部が検出した光強度に基づいて光ファイバの損失を検出する光損失検出部と、該光損失検出部が検出した光損失を音声と表示の少なくとも一方により報知する光損失報知部とが設けられていることを特徴とする光損失測定システム。
【請求項２】
第１の光送受信装置から出力される光信号の波長と第２の光送受信装置から出力される光信号の波長とを互いに異なる波長としたことを特徴とする請求項１記載の光損失測定システム。
【請求項３】
第１の光送受信装置から出力される光信号の波長は光ファイバ通信に適用される通信波長とし、第２の光送受信装置から出力される光信号の波長は可視光波長としたことを特徴とする請求項１または請求項２記載の光損失測定システム。
【請求項４】
通信波長は１．５５μｍと１．３１μｍの少なくとも一方の波長としたことを特徴とする請求項３記載の光損失測定システム。
【請求項５】
光ファイバは光信号を第１の光送受信装置側から第２の光送受信装置側に伝搬し、第２の光送受信装置側から第１の光送受信装置側に伝搬する双方向通信用光ファイバとしたことを特徴とする請求項１乃至請求項４のいずれか一つに記載の光損失測定システム。
【請求項６】
情報入力部は音声情報を入力する音声情報入力手段を有し、情報出力部は音声情報を出力する音声情報出力手段を有しており、第１と第２の光送受信装置間の通話を可能としたことを特徴とする請求項１乃至請求項５のいずれか一つに記載の光損失測定システム。
【請求項７】
情報入力部は文字情報を入力する文字情報入力手段を有し、情報出力部は文字情報を表示する文字情報表示手段を有していることを特徴とする請求項１乃至請求項６のいずれか一つに記載の光損失測定システム。
【請求項８】
情報入力部は映像情報を入力する映像情報入力手段を有し、情報出力部は映像情報を表示する映像情報表示手段を有していることを特徴とする請求項１乃至請求項７のいずれか一つに記載の光損失測定システム。
【発明の詳細な説明】
【技術分野】
【０００１】
本発明は、例えばテキスト通信等を含む光通信用の光ファイバ網の通過損失や光ファイバ敷設工事での接続不良等の測定やチェックを行うために用いられる光損失測定システムに関するものである。
【背景技術】
【０００２】
従来から、例えば光ファイバの敷設先で、光通信用の光ファイバ網の損失を測定することが行われており、この場合、例えば１．３１μｍ、１．５５μｍといった、実際に光通信用に使用される波長（通信波長）の光を使用し、実際の稼働状態と同じ条件で光ファイバの伝搬損失を測定することが行われている（例えば非特許文献１、参照）。
【０００３】
また、光ファイバの伝搬損失を測定するためには、測定対象となる光ファイバを、双方の作業者間で音声等何らかの通信手段により指示、確認を行う必要がある。このため、光ファイバの伝搬損失測定に際し、電話を利用する等の補助装置を必要とした。
【０００４】
【非特許文献１】「光ファイバ施工技術」第１２章  光損失と測定技術、平成１３年１２月２０日発行、発行元  （株）オプトロニクス社
【発明の開示】
【発明が解決しようとする課題】
【０００５】
しかしながら、上記のように、光ファイバの伝搬損失の測定の際に、電話等を使う作業は、測定装置と電話を持ちかえながらの作業となるために、能率が悪く、作業ミスを誘発することが多かった。特に、通信波長の光は目に見えない光であるため、非常に高光強度の通信波長光が光ファイバ内を通っていても、作業者に全く気づかずに扱われてしまい、上記作業ミスによって、通信波長光が誤って作業者の目に入ってしまうと、目に障害を与えるという健康上の危険の可能性があった。
【０００６】
なお、上記通信波長光が作業者の目に入ることを防止するために、光ファイバの伝搬損失の測定に可視光を用いることが考えられるが、光伝送損失は、その波長によって異なるものであり、例えば可視光の中では通信波長に近い０．６５μｍの光を用いて光ファイバの伝送損失を測定したとしても、通信波長である１．３１μｍや１．５５μｍの光を用いた場合の光ファイバの伝送損失に比べて数十倍の損失になってしまうため、可視光を用いた測定では、実際の通信に関する光ファイバの伝送損失を的確に測定することができない。
【０００７】
本発明は、上記従来の課題を解決するために成されたものであり、その目的は、作業者等の健康上の危険を回避でき、かつ、光通信に対応した光ファイバの伝送損失を、作業性良く、正確に測定することができる光損失測定システムを提供することにある。
【課題を解決するための手段】
【０００８】
上記目的を達成するために、本発明は次のような構成をもって課題を解決するための手段としている。すなわち、第１の発明は、光ファイバを介して接続されて互いに光の送受信を行う第１と第２の光送受信装置を有し、これら第１と第２の光送受信装置はそれぞれ音声と表示の少なくとも一方の情報を入力する情報入力部と、該情報入力部から入力される情報の電気信号を光信号に変換するＥ／Ｏ変換部と、該Ｅ／Ｏ変換部によって変換された光信号を出力して接続相手側に送信する光送信部と、接続相手側の光送信部から出力された光信号を受信する光受信部と、該光受信部が受信した光の信号を音声と表示の少なくとも一方の情報を持つ電気信号に変換するＯ／Ｅ変換部と、該Ｏ／Ｅ変換部により変換した情報を出力する情報出力部とを有しており、さらに、前記第１の光送受信装置には該第１の光送受信装置の前記光送信部から光ファイバの損失測定用の光を出力させる損失測定用光出力操作部が設けられ、前記第２の光送受信装置には前記第１の光送受信装置から前記光ファイバの損失測定用の光が出力されたときに、この光を受けて光強度を検出する受光強度検出部と、該受光強度検出部が検出した光強度に基づいて光ファイバの損失を検出する光損失検出部と、該光損失検出部が検出した光損失を音声と表示の少なくとも一方により報知する光損失報知部とが設けられている構成をもって課題を解決する手段としている。
【０００９】
また、第２の発明は、上記第１の発明の構成に加え、前記第１の光送受信装置から出力される光信号の波長と第２の光送受信装置から出力される光信号の波長とを互いに異なる波長とした構成をもって課題を解決する手段としている。
【００１０】
さらに、第３の発明は、上記第１または第２の発明の構成に加え、前記第１の光送受信装置から出力される光信号の波長は光ファイバ通信に適用される通信波長とし、第２の光送受信装置から出力される光信号の波長は可視光波長とした構成をもって課題を解決する手段としている。
【００１１】
さらに、第４の発明は、上記第３の発明の構成に加え、前記通信波長は１．５５μｍと１．３１μｍの少なくとも一方の波長とした構成をもって課題を解決する手段としている。
【００１２】
さらに、第５の発明は、上記第１乃至第４のいずれか一つの発明の構成に加え、前記光ファイバは光信号を第１の光送受信装置側から第２の光送受信装置側に伝搬し、第２の光送受信装置側から第１の光送受信装置側に伝搬する双方向通信用光ファイバとした構成をもって課題を解決する手段としている。
【００１３】
さらに、第６の発明は、上記第１乃至第５のいずれか一つの発明の構成に加え、前記情報入力部は音声情報を入力する音声情報入力手段を有し、情報出力部は音声情報を出力する音声情報出力手段を有しており、第１と第２の光送受信装置間の通話を可能とした構成をもって課題を解決する手段としている。
【００１４】
さらに、第７の発明は、上記第１乃至第６のいずれか一つの発明の構成に加え、前記情報入力部は文字情報を入力する文字情報入力手段を有し、情報出力部は文字情報を表示する文字情報表示手段を有している構成をもって課題を解決する手段としている。
【００１５】
さらに、第８の発明は、上記第１乃至第７のいずれか一つの発明の構成に加え、前記情報入力部は映像情報を入力する映像情報入力手段を有し、情報出力部は映像情報を表示する映像情報表示手段を有している構成をもって課題を解決する手段としている。
【発明の効果】
【００１６】
本発明によれば、光ファイバを介して接続されて互いに光の送受信を行う第１と第２の光送受信装置が、それぞれ、音声と表示の少なくとも一方の情報を入力する情報入力部と、前記情報の電気信号を光信号に変換するＥ／Ｏ変換部と、該Ｅ／Ｏ変換部によって変換された光信号を出力して接続相手側に送信する光送信部と、接続相手側の光送信部から出力された光信号を受信する光受信部と、該光受信部が受信した光の信号を音声と表示の少なくとも一方の情報を持つ電気信号に変換するＯ／Ｅ変換部と、該Ｏ／Ｅ変換部により変換した情報を出力する情報出力部とを有しているので、第１の光送受信装置と第２の光送受信装置との間で、情報通信を行うことができる。
【００１７】
また、本発明によれば、前記第１の光送受信装置には該第１の光送受信装置の前記光送信部から光ファイバの損失測定用の光を出力させる損失測定用光出力操作部が設けられ、前記第２の光送受信装置は、前記第１の光送受信装置から前記光ファイバの損失測定用の光が出力されたときに、この光を受けて光強度を検出し、該光強度に基づいて光ファイバの損失を検出し、その損失を音声と表示の少なくとも一方により報知することができるので、第１の光送受信装置から出力される光を、光ファイバを介して第２の光送受信装置で受信して、光ファイバの損失を検出することができる。
【００１８】
つまり、本発明によれば、第１と第２の光送受信装置を、光損失測定用の光ファイバを介して接続すれば、この光ファイバを介した双方向通信を行うことと、光ファイバの損失を検出することの両方を行うことができるので、光ファイバの損失測定手順の指示や確認を行いながら、光ファイバの損失測定を行うことができる。したがって、電話等の補助装置を用いて通信し、その後、補助装置と光ファイバ損失の測定装置とを持ちかえながらの作業のような作業性の悪い作業とは異なり、作業効率を向上でき、作業ミスを減らすことができる。
【００１９】
また、本発明において、第１の光送受信装置から出力される光信号の波長と第２の光送受信装置から出力される光信号の波長とを互いに異なる波長とした構成によれば、第１の光送受信装置と第２の光送受信装置との双方向光通信を、雑音等の少ない状況で良好に行うことができる。
【００２０】
さらに、本発明において、第１の光送受信装置から出力される光信号の波長は光ファイバ通信に適用される通信波長とし、第２の光送受信装置から出力される光信号の波長は可視光波長とした構成によれば、目に見える可視光を、第２の光送受信装置から第１の光送受信装置側に送ることができるので、この可視光を見ながら、安全に、かつ、確実に、光ファイバの接続を行うことができ、かつ、第１の光送受信装置から第２の光送受信装置側に送信する通信光波長の損失を測定することにより、光ファイバの通信光波長に対する損失を正確に測定できる。
【００２１】
さらに、第１の光送受信装置から出力される光信号の波長は光ファイバ通信に適用される通信波長とした本発明において、通信波長は１．５５μｍと１．３１μｍの少なくとも一方の波長とした構成によれば、現在、光ファイバ通信用として適用されている通信光波長を用いて光ファイバの損失を検出できるので、現在適用されている光通信に関する光ファイバの損失を的確に測定できる。
【００２２】
さらに、本発明において、光ファイバは光信号を第１の光送受信装置側から第２の光送受信装置側に伝搬し、第２の光送受信装置側から第１の光送受信装置側に伝搬する双方向通信用光ファイバとした構成によれば、双方向通信用光ファイバを用いて第１と第２の光送受信装置を接続し、通信と光ファイバの損失測定とを行うことができるので、より一層、安全に作業性良く、的確に光ファイバの損失測定を行うことができる。
【００２３】
さらに、本発明において、情報入力部は音声情報を入力する音声情報入力手段を有し、情報出力部は音声情報を出力する音声情報出力手段を有しており、第１と第２の光送受信装置間の通話を可能とした構成によれば、第１と第２の光送受信装置間の通話によって、容易に、かつ、的確に作業手順等を指示、確認しながら、光ファイバの損失測定を行うことができる。
【００２４】
さらに、本発明において、情報入力部は文字情報を入力する文字情報入力手段を有し、情報出力部は文字情報を表示する文字情報表示手段を有している構成によれば、文字情報通信によって、容易に、かつ、的確に作業手順等を指示、確認しながら、光ファイバの損失測定を行うことができる。
【００２５】
さらに、本発明において、情報入力部は映像情報を入力する映像情報入力手段を有し、情報出力部は映像情報を表示する映像情報表示手段を有している構成によれば、映像情報通信により容易に、かつ、的確に作業手順等を指示、確認しながら、光ファイバの損失測定を行うことができるし、トラブル等が生じた際も、映像情報によって、迅速、かつ、的確に対応を図ることができる。
【発明を実施するための最良の形態】
【００２６】
以下、本発明の実施の形態を、図面を参照して説明する。
【００２７】
図１には、本発明に係る光損失測定システムの一実施形態例のブロック構成が示されており、図２には、本実施形態例の光損失測定システムを用いて光ファイバの光損失（光伝搬損失）を測定している状態例を模式図により示されている。
【００２８】
図１、図２に示すように、本実施形態例の光損失測定システムは、光ファイバ３を介して接続された第１の光送受信装置１と第２の光送受信装置２とを有しており、これら第１と第２の光送受信装置１，２は、互いに光の送受信を行う。光ファイバ３は、双方向通信用の光ファイバである。なお、図２は、光ファイバのケーブル４５を介して電話局等の局舎のＦＤＦ（Ｆｉｂｅｒ  Ｄｉｓｔｒｉｂｕｔｉｏｎ  Ｆｒａｍｅ）４６同士を接続し、その端子４７ａ，４８ａにそれぞれ光ファイバ３を接続した例を示している。
【００２９】
光ファイバケーブル４５は、複数（例えば数十本、数百本）の光ファイバ３を束にしてケーブル化したものであり、それぞれの光ファイバの両端部は、それぞれ、ＦＤＦに設けられた対応する端子４７，４８に接続されている。つまり、それぞれの端子４７，４８に第１、第２の光送受信装置１，２を接続すると、第１、第２の光送受信装置１，２は、対応する端子４７，４８を介して光ファイバケーブル４５の対応する光ファイバ３に接続され、第１、第２の光送受信装置１，２と端子４７，４８との接続を切り替えると、第１、第２の光送受信装置１，２と接続される光ファイバ３が切り替えられる。
【００３０】
図１に示すように、第１と第２の光送受信装置１，２は、それぞれ、光分岐部４（４ａ，４ｂ）を有し、また、光送信部６（６ａ，６ｂ）とＥ／Ｏ変換部７（７ａ，７ｂ）とを備えた光源５（５ａ，５ｂ）、パラレル・シリアル変換部８（８ａ，８ｂ）、文字記憶部９（９ａ，９ｂ）、Ａ／Ｄ変換部１０（１０ａ，１０ｂ）、信号増幅部１１（１１ａ，１１ｂ）を有し、さらに、マイクロホン１２（１２ａ，１２ｂ）と文字情報入力手段１３（１３ａ，１３ｂ）とを備えた情報入力部４０（４０ａ，４０ｂ）、情報入力操作スイッチ１４（１４ａ，１４ｂ）を有している。
【００３１】
また、第１と第２の光送受信装置１，２は、光受信部１６（１６ａ，１６ｂ）とＯ／Ｅ変換部１７（１７ａ，１７ｂ）とを備えた光受信装置１５（１５ａ，１５ｂ）、デジタル信号検出部１８（１８ａ，１８ｂ）、シリアル・パラレル変換部１９（１９ａ，１９ｂ）、文字コード復元部２０（２０ａ，２０ｂ）、Ｄ／Ａ変換部２５（２５ａ，２５ｂ）、音声増幅部２１（２１ａ，２１ｂ）を有し、さらに、文字表示部２２（２２ａ，２２ｂ）とスピーカ／ヘッドホン２３（２３ａ，２３ｂ）とを備えた情報出力部４１（４１ａ，４１ｂ）を有している。
【００３２】
さらに、第１の光送受信装置１には、損失測定用光出力操作部２６が設けられ、第２の光送受信装置２には、受光強度検出部２７、光源強度記憶部２８、光損失検出部２９、光源チェック操作部３０、光損失測定操作部３１、光源強度表示部３２、光損失表示部３３が設けられている。
【００３３】
光分岐部４（４ａ，４ｂ）は、光カプラにより形成され、光ファイバ３を介して送信される光信号と受信される光信号とを分岐する。つまり、第１、第２の光送受信装置１，２の光源５ａ，５ｂから送信される光信号は、それぞれ光分岐部４ａ，４ｂを介して光ファイバ３に入力され、光ファイバ３を伝搬し、その後、接続相手側の光分岐部４ｂ，４ａを介して接続相手側の光受信装置１５ｂ，１５ａにより受信される。
【００３４】
前記情報入力部４０（４０ａ，４０ｂ）は、音声と表示の少なくとも一方の情報を入力するものである。本実施形態例では、情報入力部４０ａ，４０ｂは、それぞれ、音声情報を入力する音声情報入力手段としてのマイクロホン１２ａ，１２ｂと、文字情報を入力する文字情報入力手段１３ａ，１３ｂとを有することにより、音声情報と文字情報を適宜入力可能と成している。なお、これらの情報入力は、情報入力操作スイッチ１４（１４ａ，１４ｂ）をオンにして行われる。
【００３５】
マイクロホン１２（１２ａ，１２ｂ）から入力された音声情報は、それぞれ、アナログ電気信号によって対応する信号増幅部１１（１１ａ，１１ｂ）に加えられ、増幅される。これらの増幅信号は、対応するＡ／Ｄ変換部１０（１０ａ，１０ｂ）に加えられ、Ａ／Ｄ変換部１０（１０ａ，１０ｂ）でデジタル電気信号に変換されて、パラレル・シリアル変換部８（８ａ，８ｂ）に加えられる。
【００３６】
また、文字情報入力手段１３（１３ａ，１３ｂ）から入力された文字情報は、対応する文字記憶部９（９ａ，９ｂ）に加えられて記憶されてから、対応するパラレル・シリアル変換部８（８ａ，８ｂ）に加えられる。
【００３７】
パラレル・シリアル変換部８（８ａ，８ｂ）は、それぞれ、対応するＡ／Ｄ変換部１０（１０ａ，１０ｂ）と対応する文字記憶部９（９ａ，９ｂ）の少なくとも一方から加えられる信号をシリアルデータに変換し、対応する光源５（５ａ，５ｂ）に加える。
【００３８】
光源５（５ａ，５ｂ）は、対応するパラレル・シリアル変換部８（８ａ，８ｂ）から加えられるシリアルデータの電気信号をＥ／Ｏ変換部７（７ａ，７ｂ）によって光信号に変換し、光送信部６（６ａ，６ｂ）に加え、光送信部６（６ａ，６ｂ）から送信する。
【００３９】
本実施形態例において、光源５（５ａ，５ｂ）の光送信部６（６ａ，６ｂ）から発信する光の波長、つまり、第１の光送受信装置１から出力される光信号の波長と第２の光送受信装置２から出力される光信号の波長とは、互いに異なる波長としている。
【００４０】
第１の光送受信装置１から出力される光信号の波長（光源５ａの発信波長）は、光ファイバ通信に適用される通信波長である１．３１μｍ（１３１０ｎｍ）とし、第２の光送受信装置２から出力される光信号の波長（光源５ｂの発信波長）は可視光波長である６５０ｎｍとしている。
【００４１】
光源５（５ａ，５ｂ）から出力される光信号は、それぞれ、光分岐部４（４ａ，４ｂ）を介し、光ファイバ３を通って接続相手側に送信される。つまり、第１の光送受信装置１の光源５ａから発信される、波長１３１０ｎｍの光信号は、光ファイバ３を通って第１の光送受信装置１から第２の光送受信装置２側へ送信され、一方、第２の光送受信装置２の光源５ｂから発信される、波長６５０ｎｍの光信号は、光ファイバ３を通って第２の光送受信装置２から第１の光送受信装置１側へ送信される。
【００４２】
接続相手側の光送信部６から出力された光信号は、光受信装置１５（１５ａ，１５ｂ）の光受信部１６（１６ａ，１６ｂ）により受信される。つまり、第１の光送受信装置１の光源５ａから出力された波長１３１０ｎｍの光信号は、第２の光送受信装置２の光受信部１６ｂにより受信される。また、第２の光送受信装置２の光源５ｂから出力された波長６５０ｎｍの光信号は、第１の光送受信装置１の光受信部１６ａにより受信される。
【００４３】
そして、それぞれの光受信部１６ａ，１６ｂが受信した光の信号は、対応するＯ／Ｅ変換部１７（１７ａ，１７ｂ）によって、音声と表示の少なくとも一方の情報を持つデジタル電気信号に変換される。
【００４４】
デジタル信号検出部１８（１８ａ，１８ｂ）は、Ｏ／Ｅ変換部１７（１７ａ，１７ｂ）により変換したデジタル電気信号を検出し、シリアル・パラレル変換部１９（１９ａ，１９ｂ）に加える。
【００４５】
シリアル・パラレル変換部１９（１９ａ，１９ｂ）は、シリアル信号を予め定められたビットの長さごとにパラレルに復元し、音声情報を有するデジタル電気信号をＤ／Ａ変換部２５（２５ａ，２５ｂ）に加え、文字情報を有するデジタル電気信号を文字コード復元部２０（２０ａ，２０ｂ）に加える。
【００４６】
Ｄ／Ａ変換部２５（２５ａ，２５ｂ）は、シリアル・パラレル変換部１９（１９ａ，１９ｂ）から加えられる、音声情報を有するデジタル電気信号をアナログ電気信号に変換し、音声増幅部２１（２１ａ，２１ｂ）に加える。音声増幅部２１（２１ａ，２１ｂ）は、加えられた電気信号（音声情報を有するアナログ電気信号）を増幅し、スピーカ／ヘッドホン２３（２３ａ，２３ｂ）に加える。
【００４７】
文字コード復元部２０（２０ａ，２０ｂ）は、シリアル・パラレル変換部１９（１９ａ，１９ｂ）から加えられる、文字情報を有するデジタル電気信号を復元し、文字表示手段としての文字表示部２２（２２ａ，２２ｂ）に表示する。
【００４８】
スピーカ／ヘッドホン２３（２３ａ，２３ｂ）は、音声情報を出力する音声情報出力手段として機能するものである。図２に示すように、第１と第２の光送受信装置１，２には、それぞれ、ヘッドホン接続部５０ａ，５０ｂが設けられており、それぞれのヘッドホン接続部５０ａ，５０ｂにヘッドホンが接続されたときには、ヘッドホンからの音声出力（音声情報出力）が行われ、ヘッドホンが接続されていないときには、スピーカからの音声出力が行われるようになっている。
【００４９】
なお、図２には、第１の光送受信装置１にはヘッドホンが接続されてヘッドホンからの音声出力が行われ、第２の光送受信装置２にはヘッドホンが接続されていないで、スピーカから音声出力が行われている状態例が示されている。このように、音声出力部の動作が、ヘッドホンの接続の有無によって自動的に切り替わるように構成してもよいし、音声出力切替手段等を設け、その操作に応じて、ヘッドホンまたはスピーカからの音声出力を行うようにしてもよい。また、ヘッドホンとスピーカのいずれか一方を省略してもよい。
【００５０】
図１に示すように、第１の光送受信装置１に設けられている損失測定用光出力操作部２６は、光源５ａに指令を加えて光送信部６ａから光ファイバの損失測定用の光を出力させるものである。損失測定用光出力操作部２６は、音声情報や文字情報を有していない光を光源５ａの光送信部６ａから出力させる。出力された光は、光分岐部４ａを介して光ファイバ３に入力され、光ファイバ３を通って第２の光送受信装置２の光分岐部４ｂを介し、光受信装置１５ｂに加えられる。
【００５１】
光受信装置１５ｂは、加えられた光を光受信部１６ｂにより受信し、受光強度検出部２７に加える。受光強度検出部２７は、光受信部１６ｂが受信した光の強度を検出する。そして、光源チェック操作部３０の操作時には、その光強度検出値を、光源強度記憶部２８と光源強度表示部３２に加え、光損失測定操作部３１の操作時には、前記光強度の検出値を、光損失検出部２９に加える。
【００５２】
なお、光源強度を測定する際には、損失が小さい短い光ファイバ３を第１と第２の光送受信装置１，２に接続し、光ファイバの損失を測定する際には、損失測定用の光ファイバ３を第１と第２の光送受信装置１，２に接続して、上記動作を行うようにする。
【００５３】
光源強度表示部３２は、受光強度検出部２７から加えられた光強度の検出値を表示する。光源強度記憶部２８は、光源チェック操作部３０の操作時に受光強度検出部２７が検出した光強度検出値を光源強度値として記憶しておく。
【００５４】
光損失検出部２９は、光源強度記憶部２８に記憶されている光源強度値から、光損失測定操作部３１の操作時に受光強度検出部２７が検出した光強度の検出値を差し引いた値を光ファイバ３の損失値として求め、この値を光損失表示部３３に加える。
【００５５】
光損失表示部３３は、光損失検出部２９が検出した光損失を表示により報知する光損失報知部として機能するものであり、本実施形態例では、光損失検出部２９により求めた光ファイバ３の損失値を、例えば図２に示すように、単位ｄＢで表示する。なお、本実施形態例において、光源強度表示部３２と光損失表示部３３と、前記文字表示部２２ｂは、同一の表示画面に、それぞれの表示値（光強度値と光損失値）を切り替えて表示するようにしている。
【００５６】
本実施形態例は以上のように構成されており、図３には、図１に示した本実施形態例の光損失測定システムの制御構成を、表示部や操作部（操作スイッチ等）を省略し、簡略化して示している。図３のＬＤ（レーザダイオード）は、図１における光源５（５ａ，５ｂ）を、図３のＰＤ（フォトダイオード）は、図１の光受信装置１５（１５ａ，１５ｂ）を、図３の３ｄＢカプラは、図１の光分岐部４（４ａ，４ｂ）を、それぞれ示している。
【００５７】
また、図３のＦＭ送信部３５（３５ａ，３５ｂ）は、図１のパラレル・シリアル変換部８（８ａ，８ｂ）、文字記憶部９（９ａ，９ｂ）、Ａ／Ｄ変換部１０（１０ａ，１０ｂ）、信号増幅部１１（１１ａ，１１ｂ）により形成され、図３のＦＭ受信部３６（３６ａ，３６ｂ）は、図１のデジタル信号検出部１８（１８ａ，１８ｂ）、シリアル・パラレル変換部１９（１９ａ，１９ｂ）、文字コード復元部２０（２０ａ，２０ｂ）、Ｄ／Ａ変換部２５（２５ａ，２５ｂ）、音声増幅部２１（２１ａ，２１ｂ）により形成される。
【００５８】
さらに、図３の光損失測定回路３７は、図１の受光強度検出部２７、光源強度記憶部２８、光損失検出部２９により形成される。
【００５９】
次に、本実施形態例の光損失測定システムによって光ファイバ３の損失を測定する際の動作について、図１、図２に基づいて説明する。例えば、まず、損失が小さい（例えば被測定用光ファイバの損失と比較して無視できるような損失値の）短い光ファイバ３（光源光強度検出用光ファイバ）を第１と第２の光送受信装置１，２に接続し、その状態で、第１と第２の光送受信装置１，２間で、情報入力操作スイッチ１４をオンした状態でマイクロホン１２とスピーカ／ヘッドホン２３により通話し（音声情報の双方向通信し）、または文字情報の双方向通信によって、接続を確認する。
【００６０】
なお、光源光強度の検出や記憶は、必ずしも現場で行う必要はないので、第１と第２の光送受信装置１，２と光ファイバ３との接続を目視や肉声により確認できる位置で行えば、上記のような通話による接続確認は省略できる。
【００６１】
そして、第１の光送受信装置１の損失測定用光出力操作部２６を操作し、光源５ａからの光を第２の光送受信装置２に送信し、その光を第２の光送受信装置の光受信装置１５ｂの光受信部１６ｂで受信し、受光強度検出部２７が検出する。この際、第２の光送受信装置２側で、光源チェック操作部３０を操作すると、受光強度検出部２７が検出した値が光源強度表示部３２に表示され、また、受光強度検出部２７が検出した値は光源強度記憶部２８に記憶される。
【００６２】
次に、例えば図２に示すように、光ファイバの施工先等に第１と第２の光送受信装置１，２をそれぞれ移動して、光ファイバ３を光損失の被測定用光ファイバにつなぎ替える。そして、その状態で、第１と第２の光送受信装置１，２間で、情報入力操作スイッチ１４をオンした状態で、マイクロホン１２とスピーカ／ヘッドホン２３により通話し（音声情報の双方向通信し）、または、文字情報の送受信によって、光ファイバ３をつなぎ替えたことを確認する。次に、上記と同様に、第１の光送受信装置１の損失測定用光出力操作部２６を操作し、光源５ａからの光を第２の光送受信装置２に送信する。
【００６３】
そして、この光を第２の光送受信装置の光受信装置１５ｂの光受信部１６ｂで受信し、受光強度検出部２７が検出する。この際、第２の光送受信装置２側で、光損失測定操作部３１を操作すると、受光強度検出部２７が検出した値と前記光源強度記憶部２８に記憶されている光源光強度との値に基づき、光損失検出部２９により光ファイバ３の光損失が検出され、この値が、光損失表示部３３に表示される。
【００６４】
なお、光損失値（被測定用光ファイバの光伝搬損失）は、例えば光源光強度の値から、光損失測定操作部３１の操作時に受光強度検出部２７が検出した値（被測定用光ファイバにより第１と第２の光送受信装置１，２を接続した際の受光強度）を差し引くことによりを求めることができる。
【００６５】
そして、第２の光送受信装置２側の作業者は、光損失表示部３３の表示を見ることにより光ファイバ３の損失値を確認し、その旨を、光ファイバ３（被測定用光ファイバ）を介して、第１の光送受信装置１側の作業者に伝える。その後、第１と第２の光送受信装置１，２を、別の被測定用の光ファイバ３とつなぎ替え、確認しながら、その光損失を測定する動作を繰り返し行うことにより、複数の光ファイバ３の光損失を順次測定することができる。
【００６６】
本実施形態例によれば、上記のように、第１と第２の光送受信装置１，２を、光ファイバ３を介して接続し、光ファイバ３を介した双方向通信を行うことと、光ファイバ３の損失を検出することの両方を行うことができるので、光ファイバ３の損失測定手順の指示や確認を行いながら、光ファイバ３の損失測定を行うことができる。
【００６７】
したがって、本実施形態例によれば、従来のように、電話等の補助装置を用いて通信し、その後、補助装置と光ファイバ損失の測定装置とを持ちかえながらの作業を行うときのような作業性の悪い作業とは異なり、作業効率を向上でき、作業ミスを減らすことができる。
【００６８】
また、本実施形態例によれば、第１の光送受信装置１から出力される光信号の波長と第２の光送受信装置２から出力される光信号の波長とを互いに異なる波長としているので、第１の光送受信装置１と第２の光送受信装置２との双方向光通信を、雑音等の少ない状況で良好に行うことができる。
【００６９】
さらに、本実施形態例によれば、第１の光送受信装置１から出力される光信号の波長は光ファイバ通信に適用される通信波長とし、第２の光送受信装置２から出力される光信号の波長は可視光波長としているので、目に見える可視光を、第２の光送受信装置２から第１の光送受信装置１側に送ることができるので、この可視光を見ながら、安全に、かつ、確実に、光ファイバ３の接続を行うことができ、かつ、第１の光送受信装置１から第２の光送受信装置２側に送信する通信光波長の損失を測定することにより、光ファイバの通信光波長に対する損失を正確に測定できる。
【００７０】
さらに、本実施形態例によれば、上記通信波長は１．３１μｍとしているので、現在光ファイバ通信用として適用されている通信光波長を用いて光ファイバ３の損失を検出できるので、現在適用されている光通信に関する光ファイバ３の損失を的確に測定できる。
【００７１】
さらに、本実施形態例によれば、光ファイバ３は光信号を第１の光送受信装置１側から第２の光送受信装置２側に伝搬し、第２の光送受信装置２側から第１の光送受信装置１側に伝搬する双方向通信用光ファイバとしているので、この光ファイバ３を用いての通信と光ファイバの損失測定とを共に行うことができるので、より一層、安全に作業性良く、的確に光ファイバ３の損失測定を行うことができる。
【００７２】
さらに、本実施形態例によれば、第１と第２の光送受信装置１，２間の通話を可能としているので、第１と第２の光送受信装置１，２間の通話によって、容易に、かつ、的確に作業手順等を指示、確認しながら、光ファイバ３の損失測定を行うことができる。
【００７３】
さらに、本実施形態例によれば、第１と第２の光送受信装置１，２間の文字情報通信を可能としているので、文字情報通信により容易に、かつ、的確に作業手順等を指示、確認しながら、光ファイバの損失測定を行うことができる。
【００７４】
なお、本発明は上記実施形態例に限定されることはなく、様々な態様を採り得る。例えば、上記実施形態例では、第１の光送受信装置１と第２の光送受信装置２との制御構成を異なる構成としたが、光源５ａから出力する光の波長と光源５ｂから出力する光の波長とを互いに異なる波長とし、それ以外は、第１の光送受信装置１と第２の光送受信装置２との制御構成を同じ構成としてもよい。
【００７５】
このように構成すると、上記実施形態例とは逆に、第２の光送受信装置２側から第１の光送受信装置１側に光を送信して、その光損失を測定することもできる。なお、上記実施形態例のように、第１の光送受信装置１と第２の光送受信装置２との制御構成を異なる構成として必要不可欠な構成のみを設けることにより、装置構成を簡略化することができる。
【００７６】
また、第１の光送受信装置１から出力する光の波長を通信光波長の１３１０ｎｍとしたが、第１の光送受信装置１から出力する光の波長は、１５１０ｎｍ（１．５１μｍ）としてもよいし、波長１．３１μｍと波長１．５１μｍの光を切り替え操作に応じて切り替えて発信できるようにしてもよい。
【００７７】
これらの波長は、現在光通信用として適用されている通信光波長であるので、これらの波長に対する光ファイバ３の損失を本発明の光損失測定システムによって測定することにより、現在構築されている光ファイバ通信用に必要な光損失の値を的確に検出することができる。
【００７８】
なお、第１の光送受信装置１から出力する光の波長は特に限定されるものではなく、適宜設定されるものである。例えば、光通信用として適用される波長が１．３１μｍや１．５１μｍと異なる波長となる可能性もあり、その場合には、適用される通信光波長に対応させて第１の光送受信装置１の光源５ａの波長を適宜設定することが好ましい。
【００７９】
また、上記実施形態例では、第２の光送受信装置２から出力する光の波長を可視光波長の６５０ｎｍとしたが、第２の光送受信装置２から出力する光の波長は特に限定されるものではなく、適宜設定されるものであり、例えば６５０ｎｍ以外の可視光波長としてもよいし、可視光以外の光の波長としてもよい。
【００８０】
ただし、第２の光送受信装置２から出力する光の波長を可視光波長とすることにより、光ファイバ３を介して第１と第２の光送受信装置１，２を接続する際に、可視光によって接続を確認できるので、第２の光送受信装置２から出力する光の波長は可視光波長とすることが好ましい。
【００８１】
さらに、情報入力部４０（４０ａ，４０ｂ）は、映像情報を入力する映像情報入力手段を有する構成とし、情報出力部４１（４１ａ，４１ｂ）は映像情報を表示する映像情報表示手段を有する構成としてもよい。この場合、映像情報通信により容易に、かつ、的確に作業手順等を指示、確認しながら、光ファイバの損失測定を行うことができるし、トラブル等が生じた際も、映像情報によって、迅速、かつ、的確に対応を図ることができる。
【００８２】
さらに、上記実施形態例では、光源光強度値と光損失値の表示は、１つの表示部位に切り替え表示される構成としたが、それぞれの表示を別々の表示部位に形成してもよいし、光源光強度値の表示は省略することもできる。
【００８３】
さらに、上記実施形態例では、光源光強度値と光損失値を表示により報知するようにしたが、光源光強度値と光損失値を音声により報知する光損失報知部を設けてもよい。
【００８４】
さらに、上記実施形態例では、光ファイバ３は、光信号を第１の光送受信装置１側から第２の光送受信装置２側に伝搬し、第２の光送受信装置２側から第１の光送受信装置１側に伝搬する双方向通信用の光ファイバとしたが、光ファイバ３は第１の光送受信装置１側から第２の光送受信装置２側に伝搬する光ファイバとして、この光ファイバ３の損失を測定する構成とし、第２の光送受信装置２から第１の光送受信装置１側へ伝搬する光ファイバは別に設けて、この光ファイバは第１と第２の光送受信装置１，２間での情報のやりとりにのみ用いることもできる。
【図面の簡単な説明】
【００８５】
【図１】本発明に係る光損失測定システムの一実施形態例の制御構成を示すブロック図である。
【図２】上記実施形態例の光損失測定システムを適用して被測定用光ファイバの光損失を測定する作業例を模式的に示す説明図である。
【図３】図１に示した光損失測定システムの構成を簡略化して示す説明図である。
【符号の説明】
【００８６】
１  第１の光送受信装置
２  第２の光送受信装置
３  光ファイバ
４，４ａ，４ｂ  光分岐部
５，５ａ，５ｂ  光源
６，６ａ，６ｂ  光送信部
７，７ａ，７ｂ  Ｅ／Ｏ変換部
１２，１２ａ，１２ｂ  マイクロホン
１３，１３ａ，１３ｂ  文字情報入力手段
１４，１４ａ，１４ｂ  情報入力操作スイッチ
１５，１５ａ，１５ｂ  光受信装置
１６，１６ａ，１６ｂ  光受信部
１７，１７ａ，１７ｂ  Ｏ／Ｅ変換部
２２，２２ａ，２２ｂ  文字表示部
２３，２３ａ，２３ｂ  スピーカ／ヘッドホン
２６  損失測定用光出力操作部
２７  受光強度検出部
２８  光源強度記憶部
２９  光損失検出部
３０  光源チェック操作部
３１  光損失測定操作部
３２  光源強度表示部
３３  光損失表示部
【図１】
2006250797.tif 000003
【図２】
2006250797.tif 000004
【図３】
2006250797.tif 000005